(57)【要約】【課題】逆錘台形状を有する比較的脆弱なカップ麺製品などを複数収納するのに適した包装箱を提供する。【解決手段】包装箱は、一対の第１縁辺および一対の第２縁辺によって画定される矩形の天面部と、一対の第３縁辺および一対の第４縁辺によって画定され、第３縁辺の長さが第１縁辺の長さより小さく、第４縁辺の長さが第２縁辺の長さと等しい矩形の底面部と、一対の第１縁辺と一対の第３縁辺とをつなぐ一対の第１側面部と、一対の第２縁辺と一対の第４縁辺とをつなぐ一対の第２側面部であって、第２縁辺から垂直に延在する垂直部分と、垂直部分に連続し、第４縁辺に向かって傾斜する傾斜部分とを有している一対の第２側面部と、一対の第２側面部の端部に設けられ、第１側面部の内側に折り曲げられて接着された折り曲げ部であって、垂直部分につながる垂直縁辺と、前記傾斜部分とは分離して底面部の角に向かって傾斜する傾斜縁辺とを有する折り曲げ部と、を備える。【選択図】図１
2019131295.tif 000002
【特許請求の範囲】
【請求項１】
相対的に大面積の上面と相対的に小面積の下面とを有する逆錐台形状の製品を複数密接させて収納するラップアラウンド式の包装箱であって、
相互に平行な一対の第１縁辺および該第１縁辺と直交する相互に平行な一対の第２縁辺によって画定される矩形の天面部と、
相互に平行な一対の第３縁辺および該第３縁辺と直交する相互に平行な一対の第４縁辺によって画定される矩形の底面部であって、前記第３縁辺の長さが前記第１縁辺の長さより小さく、前記第４縁辺の長さが前記第２縁辺の長さと等しい底面部と、
前記一対の第１縁辺と前記一対の第３縁辺とをつなぐ一対の第１側面部と、
前記一対の第２縁辺と前記一対の第４縁辺とをつなぐ一対の第２側面部であって、それぞれが、前記第２縁辺から垂直に延在する垂直部分と、該垂直部分に連続し、前記第４縁辺に向かって傾斜する傾斜部分とを有している一対の第２側面部と、
前記一対の第２側面部のそれぞれの両端に設けられ、前記第１側面部の内側に折り曲げられて接着された折り曲げ部であって、前記垂直部分につながる天面側縁辺と、該天面側縁辺に連続し、且つ前記傾斜部分とは分離して前記底面部を含む平面に向かって延在する底面側縁辺とを有する折り曲げ部と、
を備えたことを特徴とする包装箱。
【請求項２】
前記折り曲げ部の前記底面側縁辺は前記底面部の角に向かって傾斜する傾斜縁辺であり、該傾斜縁辺が前記平面に対してなす傾斜角は、前記第２側面部の前記傾斜部分が前記平面に対してなす傾斜角より大きいことを特徴とする請求項１に記載の包装箱。
【請求項３】
前記折り曲げ部の前記底面側縁辺は前記平面に対して垂直であることを特徴とする請求項１に記載の包装箱。
【請求項４】
前記第１側面部は、前記天面部の前記第１縁辺から折り曲げられた天面側第１側面部と、前記底面部の前記第３縁辺から折り曲げられて前記天面側第１側面部と突き合わされた底面側第１側面部とから構成され、前記天面側第１側面部の前記第１縁辺の方向の両端部および前記底面側第１側面部の前記第３縁辺の方向の両端部が、それぞれ前記折り曲げ部に接着されていることを特徴とする請求項１ないし３のいずれか一項に記載の包装箱。
【請求項５】
前記両端部を含む前記天面側第１側面部、前記第２側面部の前記垂直部分、および前記天面部を一括して取り外す破断動作を行うためのスリット形成線が設けられていることを特徴とする請求項４に記載の包装箱。
【請求項６】
前記スリット形成線の一部は、前記垂直部分と前記傾斜部分とをつなぐ稜の少なくとも一部に沿って形成されていることを特徴とする請求項５に記載の包装箱。
【請求項７】
前記底面側第１側面部の前記両端部のそれぞれは、前記天面側第１側面部の近傍において前記第３縁辺の方向の外方に膨出し、前記第３縁辺の近傍において前記第３縁辺の方向の内方に湾入した形状を有することを特徴とする請求項４ないし６のいずれか一項に記載の包装箱。
【請求項８】
請求項１ないし７のいずれか一項に記載の包装箱を形成するためのブランクシートであって、前記天面部、前記底面部、前記第１側面部、前記第２側面部および前記折り曲げ部となるそれぞれの領域と、当該それぞれの領域を区画する折り曲げ線とが形成されていることを特徴とするブランクシート。
【発明の詳細な説明】
【技術分野】
【０００１】
本発明は、包装箱および該包装箱用のブランクシートに関し、特に、相対的に大面積の上面と相対的に小面積の下面とを有する逆錐台形状の製品（カップ麺製品など）を収納して流通させるための包装箱の構造に関するものである。
【背景技術】
【０００２】
流通等のために複数の製品を収納する包装箱（例えば段ボール箱）においては、省資源化（例えばダンボール使用量の削減）が求められる。一方で、収納されている製品は、収納箱に働く外力などから有効に保護されなければならない。特に、上述したカップ麺製品などは容器の剛性が低く、また薄いフィルムの外装が施されているのが一般的である。したがって、そのような比較的脆弱な製品用の包装箱には、特許文献１に開示されたような缶飲料やＰＥＴボトル飲料を収納する包装箱とは異なる構造が求められる。
【先行技術文献】
【特許文献】
【０００３】
【特許文献１】特許第５０９７３４４号
【発明の概要】
【発明が解決しようとする課題】
【０００４】
よって本発明は、省資源化の要望に応えつつ、収納している比較的脆弱な逆錐台形状の製品の保護性能を向上できる包装箱の構造を提供することを目的とする。
【課題を解決するための手段】
【０００５】
そのために、本発明は、相対的に大面積の上面と相対的に小面積の下面とを有する逆錐台形状の製品を複数密接させて収納するラップアラウンド式の包装箱であって、
相互に平行な一対の第１縁辺および該第１縁辺と直交する相互に平行な一対の第２縁辺によって画定される矩形の天面部と、
相互に平行な一対の第３縁辺および該第３縁辺と直交する相互に平行な一対の第４縁辺によって画定される矩形の底面部であって、前記第３縁辺の長さが前記第１縁辺の長さより小さく、前記第４縁辺の長さが前記第２縁辺の長さと等しい底面部と、
前記一対の第１縁辺と前記一対の第３縁辺とをつなぐ一対の第１側面部と、
前記一対の第２縁辺と前記一対の第４縁辺とをつなぐ一対の第２側面部であって、それぞれが、前記第２縁辺から垂直に延在する垂直部分と、該垂直部分に連続し、前記第４縁辺に向かって傾斜する傾斜部分とを有している一対の第２側面部と、
前記一対の第２側面部のそれぞれの両端に設けられ、前記第１側面部の内側に折り曲げられて接着された折り曲げ部であって、前記垂直部分につながる天面側縁辺と、該天面側縁辺に連続し、且つ前記傾斜部分とは分離して前記底面部を含む平面に向かって延在する底面側縁辺とを有する折り曲げ部と、
を備えたことを特徴とする。
【０００６】
また、本発明は、上記包装箱を形成するためのブランクシートであって、前記天面部、前記底面部、前記第１側面部、前記第２側面部および前記折り曲げ部となるそれぞれの領域と、当該それぞれの領域を区画する折り曲げ線とが形成されていることを特徴とする。
【発明の効果】
【０００７】
本発明によれば、省資源化の要望に応えつつ、収納している比較的脆弱な逆錐台形状の製品の保護性能を向上できる。
【図面の簡単な説明】
【０００８】
【図１】本発明の第１実施形態に係る包装箱の斜視図である。
【図２】図１の包装箱の正面図である。
【図３】図１の包装箱の右側面図である。
【図４】包装箱を形成するためのブランクシートの一実施形態を示す平面図である。
【図５】製品を取り出すために包装箱の天面部を開放した状態を示す斜視図である。
【図６】包装箱の製品展示形態を示す斜視図である。
【図７】製品の収容状態および第１実施形態の効果を説明するための説明図である。
【図８】本発明の第２実施形態に係る包装箱の右側面図である。
【図９】本発明の第２実施形態に係る包装箱の主要部を示す斜視図である。
【図１０】本発明の第２実施形態に係る包装箱を形成するためのブランクシートの実施形態を示す平面図である。
【発明を実施するための形態】
【０００９】
以下、図面を参照して本発明の実施形態を詳細に説明する。なお、包装箱の材質としては、シングルフルートの両面段ボール原紙を使用できる。しかしこれに限らず、板紙や、複数回にわたって反復使用可能なプラスチックなどの材料を用いたもので構成することも可能である。
【００１０】
（第１実施形態の構成）
本発明の第１実施形態に係る包装箱は、相対的に大面積（例えば７０〜８０ｃｍ2）の上面と相対的に小面積（例えば３０〜４０ｃｍ2）の下面とを有する逆錐台形状（例えば上下面の面積差４０ｃｍ2）の製品、特にカップ麺製品などを収納するのに適したものである。一般にカップ麺製品においては、乾燥した麺などを収容する容器がポリスチレンなどのプラスチックや紙で形成され、さらにその容器には収縮性ポリプロピレンなどの薄いフィルムが外装として施されている。したがって、カップ麺製品は缶飲料やＰＥＴボトル飲料などよりも比較的脆弱であり、包装箱に作用する外力からできるだけ保護され、変形や、割れおよび外装フィルムの破れなどの損傷が生じないようにしなければならない。また、虫類や塵埃などの侵入からも保護されるべきである。以下に説明する第１実施形態は、省資源化の要望に応えつつ、カップ麺製品の保護性能を向上することができる構造を有する。まず、その基本的な構成について説明する。
【００１１】
図１〜図３を参照すると、相対的に大面積の上面Ｃ１と相対的に小面積の下面Ｃ２とを有する逆円錐台形状のカップ麺製品（以下、単に「製品」という場合もある）Ｃを複数収納するラップアラウンド式の包装箱の第１実施形態が示されている。この包装箱は、基本的に、収納された製品Ｃの上面Ｃ１側を覆う天面部１と、下面Ｃ２が載置される底面部２と、これらをつなぐそれぞれ一対の第１側面部３および第２側面部４と、それぞれの第２側面部４の両端に設けられ、第１側面部３の内側に折り曲げられた折り曲げ部５と、を備える。便宜上、図１に明確に現れている第２側面部の側を正面側、それと対向する第２側面部の側を背面側とする（したがって図２は包装箱の正面図となる）。同様に、図１に明確に現れている第１側面部の側を右側、それと対向する第１側面部の側を左側とする（したがって、図３は包装箱の右側面図となる）。
【００１２】
天面部１は、相互に平行な一対の第１縁辺１１および該第１縁辺と直交する相互に平行な一対の第２縁辺１２によって画定される矩形状を有する。例えば製品Ｃが逆円錘台形状である場合、天面部１の内のり寸法は、縦横方向とも、製品Ｃの上面Ｃ１の外径Ｃ１ｄの整数倍に若干の余裕分（後述する図７において「Ｓ」で示され、５ｍｍ程度である）を加えた長さであり、第１実施形態の包装箱はｍ×ｎ個の製品Ｃをほぼ密接した状態で収納するものとして構成される。底面部２は、相互に平行な一対の第３縁辺２３および該第３縁辺と直交する相互に平行な一対の第４縁辺２４とによって画定される矩形状を有し、第３縁辺２３の長さが第１縁辺１１の長さより小さく、第４縁辺２４の長さが第２縁辺１２の長さと等しくなっている。ここで、第１縁辺１１に沿った方向にｍ個、第２縁辺に沿った方向にｎ個の製品Ｃが収納されるものとすると（図示の例ではｍ＝３，ｎ＝４）、天面部１の内のり寸法は、第１縁辺１１に沿った方向ではｍ×Ｃ１ｄに若干の余裕分を加えた長さ、第２縁辺に沿った方向ではｎ×Ｃ１ｄに若干の余裕分を加えた長さとなる。また、底面部２の内のり寸法は、製品Ｃの下面Ｃ２の外径をＣ２ｄとすると、第３縁辺２３に沿った方向ではｍ×Ｃ２ｄ＋（ｍ−１）×（Ｃ１ｄ−Ｃ２ｄ）に若干の余裕分を加えた長さ、第４縁辺２４に沿った方向では第２縁辺１２に沿った方向の内のり寸法と等しいものとなる。
【００１３】
第１側面部３は、第１縁辺１１と第３縁辺２３とをつなぐ天面部１および底面部２に直交する側面部であり、第３縁辺２３の長さが第１縁辺１１の長さより小であることで、六角形状を呈する。第２側面部４は、第２縁辺１２と第４縁辺２４とをつなぐ一対の側面部である。それぞれの第２側面部４は、第２縁辺１２から垂直に（すなわち天面部１に直交して）延在する垂直部分４１と、第４縁辺２４から外方に広がって延在し、稜４３を介して垂直部分４１につながる傾斜部分４２と、を有する。折り曲げ部５は、一対の第２側面部４のそれぞれの両端に設けられ、第１側面部３の内側に折り曲げられて接着される。折り曲げ部５は、垂直部分４１につながる天面側縁辺と、天面側縁辺に連続し、且つ傾斜部分４２とは分離して底面部２を含む平面に向かって延在する底面側縁辺とを有する。第１実施形態においては、天面側縁辺は第２側面部４の垂直部分４１につながる垂直縁辺５１として形成され、一方、底面側縁辺は傾斜部分４２とは分離して底面部２の角２ｃに向かって傾斜する傾斜縁辺５２として形成されている。第２側面部４の傾斜部分４２の傾斜角と、折り曲げ部５の傾斜縁辺５２の傾斜角とを、後述するように適切に定めることで、第４縁辺２４の方向の両端に現れる開口が、傾斜縁辺５２につながる折り曲げ部５の部分によって十分に覆われるものとなる。
【００１４】
なお、第１側面部３は、具体的には、天面部１に連続して第１縁辺１１から折り曲げられた天面側第１側面部３１と、底面部２に連続して第３縁辺２３から折り曲げられた底面側第１側面部３２と、底面側第１側面部３２に覆われない折り曲げ部５の露出部分とによって形成される。また、天面側第１側面部３１と底面側第１側面部３２とは、包装箱の高さ方向のほぼ中央で突き合わされる寸法を有する。また、天面部１の正面側の第２縁辺１２に連続して封かん部６が設けられ、正面側の第２側面部４の垂直部分４１の上に折り曲げられて接着されている。
【００１５】
図４は、第１実施形態に係る包装箱を組み立てるためのブランクシートの平面図であり、包装箱の外面側に対応する。
【００１６】
図４において、実線はブランクシートの外形を示す。また、細い破線は折り曲げ線を示し、専ら折り曲げを容易にするためのけい線加工が施されている。太い破線は、折り曲げ動作を容易にするほか、所望に応じてユーザによる破断動作を容易にするために直線状または略鉤形状など適宜の形状のスリットを断続させたスリット形成線である。特に、折り曲げ部５となる領域１０５と連続する、垂直部分４１となる領域１４１の所定位置からは、稜４３となる折り曲げ線１４３まで略円弧状に断続し、さらに稜４３となる折り曲げ線１４３に沿って直線状に断続するスリット形成線７が設けられている。また、天面側第１側面部３１となる領域１３１の両端部には、スリット形成線によって区画された領域１３１ａ，１３１ｂが設けられている。これらは、包装箱を図６について後述する製品展示形態とするためのものである。
【００１７】
包装箱を組み立てる際には、まず、底面部２となる領域１０２を中心として、折り曲げ線１２４および１４３に沿った領域１４２および１４１の折り曲げを行う。次に折り曲げ線１５１に沿った領域１０５の折り曲げを行い、続いて折り曲げ線１２３に沿って領域１３２を領域１０５上に折り曲げ、両者を接着する。さらに、折り曲げ部１１２に沿って領域１０１を折り曲げて領域１０２と対向状態とし、続いて折り曲げ線１１１に沿って領域１３１を領域１０５上に折り曲げ、両者を接着する。最後に、領域１０６を折り曲げ線１１２に沿って領域１４１上に折り曲げて両者を接着することで、図１に示した包装箱が組み立てられる。なお、製品Ｃは、天面部１となる領域１０１の折り曲げを行う工程に先立って、底面部２となる領域１０２に載置される。また、接着を行う部位への接着剤の塗布は適宜のタイミングで行うことができる。
【００１８】
（包装箱の開封）
上述のように組み立てられた包装箱は、商品棚などに陳列するために製品を取り出すことのできる形態や、購買者に販売するための展示に適した形態へと転換することができる。
【００１９】
図５は、包装箱の天面部を開放した形態を示す斜視図である。この形態を得るためには、例えば、封かん部６を第２側面部４の垂直部分４１から剥がすとともに、天面側第１側面部３１を折り曲げ部５から剥がし、第２縁辺１２を中心に天面部１を回動させることで開放すればよい。
【００２０】
図６は、展示形態に転換された包装箱を示す斜視図である。この形態を得るには、例えば、まず領域１３１ａを折り曲げ部５から剥がしつつスリット形成線に沿って破断する。次に、その部分を把持してスリット形成線７に沿った破断動作を行い、さらに領域１３１ｂまで動作を継続する。これらの動作により、垂直部分４１の部分、封かん部６および天面部１を一括して取り外すことができる。
【００２１】
（第１実施形態の効果）
上述のように組み立てられた包装箱の内側には、図５に最もよく示されるように、折り曲げ部５による凹凸が存在するのみである。したがって、製品Ｃに与える負荷が少ない。
【００２２】
また、第１実施形態の構造は、省資源化すなわち段ボール消費量の削減につながる。ここで、図７に示すように、底面部２から傾斜部分４２と垂直部分４１との接続部分である稜４３までの高さをａ、傾斜部分４２の幅（図４の横方向）をｃとする。一方、傾斜部分４２がないと仮定した場合（第２側面部が垂直部分のみで構成される場合）において、垂直部分４１の延長線と底面部２と同一平面との交点を仮想し、この交点から角２ｃまでの距離をｂとする。このとき、稜４３に相当する位置から交点を経て角２ｃに至るまでの距離（図４の横方向）は、ａ＋ｂとなる。ここで、ｃ＝（ａ2＋ｂ2）1/2であるので、第１実施形態では、ａ＋ｂ−（ａ2＋ｂ2）1/2だけ図４の横方向幅が減少し、その分段ボール使用量が削減される。
【００２３】
さらに、製品Ｃの側面にそって第２側面部を設け、段ボール使用量を削減することも考えられるが、包装箱に外力が加わった場合、その力は製品Ｃの側面に直接的に及ぶものとなる。これに対し、第１実施形態の第２側面部４は製品Ｃの側面と接触しておらず、垂直部分４１および傾斜部分４２は稜４３の部位で屈曲している。この構造は、包装箱に加わる外力の緩衝作用を向上する上で有利である。
【００２４】
ここで、上述した特許文献１には、天面を画定する縁辺部および／または底面を画定する縁辺部に面取りを施した構造が開示されている。しかし同文献開示の構造は、缶飲料やＰＥＴボトル飲料を収納するのに好適な構造であって、本発明が対象とする比較的脆弱なカップ麺製品を収納するものではない。
【００２５】
また、特許文献１に開示された面取りは、包装箱を積載した場合に上から作用する圧力による側面部の胴膨れを防止するためのものであって、第１実施形態の傾斜部分４２とはその目的を異にする。つまり、第１実施形態の製品Ｃは比較的軽量であって、上からの圧力をさほど考慮しなくてもよい一方、流通時の横揺れなどによって加わる製品側面の損傷からの保護されるべきものである。
【００２６】
さらに、特許文献１に開示された面取り部の設計は、収納している製品の最大外径をなす主胴部の寸法（外径および高さ）などに制約される。つまり、同文献の図４のようにＰＥＴボトルを収納する場合を考察すると、面取り部は、主胴部を十分に外れ、且つキャップを十分によけるように形成されるべきものとなる。また、胴膨れを効果的に防止するためには、面取り部は縁辺近傍に限局されるべきものと考えられる。これに対し、第１実施形態の構造は、傾斜部分４２の傾斜角および寸法の設計に関して自由度が高いものであり、特許文献１の図４に示された構造を単に天地逆にして転用すれば足りる程度のものではない。
【００２７】
加えて、傾斜縁辺５２は、図４に示すように、折り曲げ部５を切り欠いた三角形状の部分の斜辺として形成されている。したがって、製函前のブランクシートの形成時に、領域１３２および１０５間の切断片を除去し易くなる。ここで、底面部２と同一平面（正常姿勢における水平面）に対する折り曲げ部５の傾斜縁辺５２の傾斜角（図４のαに相当）および第２側面部４の傾斜部分４２の傾斜角（図７のβに相当）を考える。傾斜角αおよびβの値は適宜定め得るが、第１実施形態では、α≧βの関係、好ましくはα＞βの関係を満たすようにしている。これにより、図３に示されるように、傾斜部分４２を設けたことにより第４縁辺２４の方向の両端に現れる開口が、傾斜縁辺５２につながる折り曲げ部５の部分によって十分に覆われることになる。これは、塵埃や虫の侵入を阻止する上で有利な構造である。なお、αとβとの角度差（α−β）は、適宜定め得るが、３゜〜１０゜であればよく、第１実施形態ではα（＝４０゜）−β（＝３６゜）＝４゜とした。
【００２８】
さらに加えて、第３縁辺２３に沿った方向の底面部２の内のり寸法を上述のように規定したことにより、第２側面部４に面して配列されているすべての製品Ｃの下面は、収納箱の第４縁辺２４の内側部分にほぼ密接することになる。換言すれば、第３縁辺２３に平行な方向における、製品Ｃの下面の位置は、図７に示したような状態を維持するように規制されることになる。したがって、図６のような展示形態、すなわちトレイとして使用するために天面側が外され、製品Ｃの上面側が天面部１に規制されない状態となっても、製品Ｃの陳列状態が乱れにくくなるという効果が得られる。これは、天面部と底面部とが合同である一般的な直方体形状の包装箱のように、面積が相対的に小さい下面側が規制されない構造と比べ、製品を安定して陳列する上で有利である。
【００２９】
（第２実施形態）
上述した第１実施形態では、底面部２の角２ｃに向かって傾斜する傾斜縁辺５２を底面側縁辺として有する折り曲げ部５を採用したが、本発明の趣旨に沿うものであれば、折り返し部の形状は適宜定め得る。
【００３０】
図８、図９および図１０は、それぞれ、本発明の第２実施形態に係る包装箱の右側面図、当該他の実施形態に係る包装箱の主要部を示す斜視図および当該他の実施形態に係る包装箱を形成するためのブランクシートを示す平面図である。なお、第１実施形態と同様に構成される各部には、対応箇所に同一符号を付してその説明は省略する。第２実施形態が第１実施形態と異なるのは、まず、折り曲げ部５の底面側縁辺５２´が垂直縁辺５１である天面側縁辺に対し屈曲することなく延在して、底面部２を含む平面に対して垂直となっている点である。これにより、傾斜部分４２の閉塞性がより向上し、塵埃や虫類などの侵入をさらに効果的に防止できる。
【００３１】
また、第２実施形態においては、図１０に示すように、底面側第１側面部３２となる領域１３２と折り曲げ部５となる領域１０５との間には、ある程度の面積が確保されるように間隙が設けられている。第２実施形態においては、底面側縁辺５２´は第１実施形態の傾斜縁辺５２のように三角形状の切り欠きによって形成されるのではなく、折り曲げ線１２３の端部から領域１４１まで直線状に延在するスリットによって形成される。したがって、領域１３２および１０５間に二点鎖線で示すような直線状の狭隘な間隙Gが連続している場合には、ブランクシート形成時に切断片の排除が難しくなるが、両領域間にある程度の面積が確保されるように間隙が設けられていれば、切断片の排除がし易くなる。また、特に天面側第１側面部３１に近い底面側第１側面部３２の部分を、折り曲げ線１２３と平行な方向の外方に膨出した形状、底面部２に近い底面側第１側面部３２の部分を同じく内方に湾入した形状としている。これにより、底面側第１側面部３２と折り曲げ部５との十分な接着性を確保できるとともに、ユーザの指がかかり易くなることから、箱使用後の処分時に、折り畳み部５から底面側第１側面部３２を剥がし易くなるという効果も得られる。なお、領域１３２および１０５間の間隙の形状は、第１実施形態に適用されてもよい。
【００３２】
（その他）
なお、本発明は、以上述べた第１および第２実施形態および随所に述べた変形例に限られない。例えば、以上では、収納対象として逆円錘台形状のカップ麺製品を収納した状態として説明したが（図１、図５〜図７）、製品の形状は逆角錘台形状であってもよく、収容する内容物としても乾燥米ないし粥、味噌汁または菓子その他であってもよい。また、図６のような展示形態を考慮しなければ、スリット形成線７の配設は必須ではない。
【００３３】
また、図４および図１０では、概して、同図の左から天面部、一方の第２側面部、底面部、および他方の第２側面部となる領域が連続して形成され、同図のそれぞれの上下に天面側第１側面部、一方の折り曲げ部、底面側第１側面部、他方の折り曲げ部となる領域が形成されている構成を例示した。しかしながら、図１〜図３および図８、図９に示したような包装箱を組み立てるためのブランクシートの構成は図４および図１０に示したものに限られない。例えば天面部、一方の第１側面部（天面側および底面側第１側面部を一体にした形状のもの）、底面部および他方の第１側面部（天面側および底面側第１側面部を一体にした形状のもの）となる領域が連続して形成され、天面部または底面部の上下に第２側面部となる領域を連続させ、さらにこれに折り曲げ部となる領域を連続させて形成したものでもよい。
【符号の説明】
【００３４】
１  天面部
２  底面部
３  第１側面部
３１  天面側第１側面部
３２  底面側第１側面部
４  第２側面部
４１  垂直部分
４２  傾斜部分
４３  垂直部分と傾斜部分との稜
５  折り曲げ部
５１  垂直縁辺（天面側第２縁辺）
５２  傾斜縁辺（底面側第２縁辺）
５２´  底面側第２縁辺
６  封かん部
７  スリット形成線
Ｃ  カップ麺製品
【図１】
2019131295.tif 000003
【図２】
2019131295.tif 000004
【図３】
2019131295.tif 000005
【図４】
2019131295.tif 000006
【図５】
2019131295.tif 000007
【図６】
2019131295.tif 000008
【図７】
2019131295.tif 000009
【図８】
2019131295.tif 000010
【図９】
2019131295.tif 000011
【図１０】
2019131295.tif 000012